(57)【要約】【課題】  発光素子間の狭ピッチ化やレンズの焦点精度が実現できないシステムにおいても、画素密度を整数倍以外の密度変換を実現する。【解決手段】  第１のタイミングにより画像メモリ２６に連続する４００ｄｐｉの画像データを蓄積すると共に、データ選択部２７により、第１のタイミングより速く、且つ、第１のタイミングの整数倍でない第２のタイミングにより画像メモリ２６から所要の画像データの選択を行うようにしている。これにより、例えば画素密度が４００ｄｐｉの画像データを整数倍でない６００ｄｐｉ相当の画素密度の画像データに画像変換して出力することができるようになる。【選択図】  図３
2006060621.tif 000002
【特許請求の範囲】
【請求項１】
第１の画素密度を有する画像データを、該第１の画素密度より高密度とされる第２の画素密度の画像データに変換して半導体ラインイメージ出力装置に出力する画像データ処理装置において、連続する第１の画素密度の画像データを、第１のタイミングにより蓄積するデータ蓄積手段と、前記第１のタイミングより速く、且つ、前記第１のタイミングの整数倍でない第２のタイミングにより前記データ蓄積手段から所要の画像データの選択を行うデータ選択手段と、を備えていることを特徴とする画像データ処理装置。
【請求項２】
請求項１記載の画像データ処理装置において、前記データ選択手段は、前記第２のタイミングをカウントして３値以上のカウント値を出力する第１のカウンタと、前記第１のカウンタから出力されるカウント値のうち、少なくとも２つのカウント値によりインクリメントされる第２のカウンタと、前記第２のカウンタのカウント値に対応する画像データを前記データ蓄積手段から読み出すデータ読出手段と、を備えていることを特徴とする記載の画像データ処理装置。
【請求項３】
請求項２記載の画像データ処理装置において、前記データ選択手段は、前記画像データのデータ数をカウントする第３のカウンタをさらに備え、前記第３のカウンタのカウント値を利用して、前記データ読出手段が前記データ蓄積手段から読み出す画像データの選択を行うことを特徴とする画像データ処理装置。
【請求項４】
請求項１乃至請求項３の何れか一項に記載の画像データ処理装置を備えていることを特徴とする画像形成装置。
【発明の詳細な説明】
【技術分野】
【０００１】
本発明は、画像データの画素密度の変換処理を行う画像データ処理装置と、そのような画像データ処理装置を備えた画像形成装置に関するものである。
【背景技術】
【０００２】
電子写真やインクジェット等の画像形成装置では、所定の画素密度により画像形成が行われている。例えば２００ｄｐｉの画素密度を実現するためには、１インチに２００画素を形成することになる。しかし、画像形成装置において実現できる画素密度は、その装置固有の性能によるものであり、それが４００ｄｐｉであった場合は密度変換を行う必要がある。このため、実際の画素密度を仮想の画素密度に置き換える技術が必要とされる。
一般的には、非特許文献１などに記載されているような様々な手法で密度変換が実現され、例えば２００ｄｐｉから４００ｄｐｉへの密度変換のように２倍の密度に変換するときの処理を倍密度変換、１００ｄｐｉから４００ｄｐｉへの密度変換のように４倍の密度に変換するときの処理を４倍密度変換と呼ばれている。このように整数倍の密度変換を実現する方法として元の画素を単純に整数倍する機能を有していることが知られている。
図１０は画像イメージの説明図であり、画素密度が１００ｄｐｉで図１０（ａ）に示すような画素並びの画像イメージを４００ｄｐｉの４倍密度変換を行った場合は、図１０（ｂ）に示すような画像イメージになる。
図１１は従来の密度変換処理の一例を説明するためのタイミング図であり、ここでは整数倍の画素密度の変換処理例として２倍密度変換処理について説明する。
入力データが例えば２００ｄｐｉの画素並びで構成されている場合は、複数のデータ列（例えばＯＤＤ／ＥＶＥＮ等）やバーストデータとして実現する場合も、データ列を拡張したものとして扱うことが出きるので、画像データを連続する１列のデータ列と見なすことができる。
例えば、２００ｄｐｉの画素密度の画像データを取り込む場合は、図１１（ａ）に示すように、クロックＫの立ち上がりエッジに同期させて、入力データをメモリに転送すると、入力データのデータ列は、図１１（ｂ）に示すような入力データＤ１，Ｄ２，Ｄ３・・・Ｄｎとなる。このような入力データ列を４００ｄｐｉの画素密度のデータに変換して出力する場合は、図１１（ａ）に示すクロックＫの立ち上がりエッジと立ち下がりエッジの両エッジに同期させてメモリからデータを読み出すようにしている。従って、出力データのデータ列は、図１１（ｃ）に示すように、Ｄ１，Ｄ１，Ｄ２，Ｄ２，Ｄ３，Ｄ３・・・Ｄｎ，Ｄｎとなり、２００ｄｐｉの画素密度のデータを４００ｄｐｉの画素密度のデータに変換することができる。
上記図１１に示す例では、データ転送を２倍にする構成であるが、ＦＩＦＯ等のメモリを用いてデータを蓄積すれば、入力データ転送速度と出力データ転送速度を任意に規定することができ、データのラッチタイミングをコントロールすることやメモリ空間のアドレスへのアクセスをコントロールすることで、入力データに対して任意の整数倍の密度変換を実現することができる。この場合、メモリは図１２に示すようにデータ入力量とデータ出力量とからデータがオーバーフローしないようにする必要がある。
なお、特許文献１には、ＬＤ発光のＰＷＭ変調による階調性と組み合わせた画素密度変換に関する技術として、画像データのドット密度を高密度化する画素密度変換処理部を有する画像処理装置とパルス幅変調部を有する光ビーム制御装置とを備え、画素密度変換処理部は入力画像データを主走査方向に解像度をｎ倍し、連続するｎ個のデータによる連続発光時間の総和が入力画像の１データあたりの発光時間と等しくなるように、ｎ倍密度変換処理を行った各ドットデータにｍ階調のパルス幅データを与えるようにした画像形成装置が開示されている。
【特許文献１】特開２００２−１１３９０２公報
【非特許文献１】情報処理学会誌Ｖｏｌ．２５  Ｎｏ５
【発明の開示】
【発明が解決しようとする課題】
【０００３】
ところで、近年の画像形成装置はマルチファンクションとして知られているようにファックス機能、プリンタ機能、スキャナ機能、複写機能などを有しており、画像形成装置の画素密度と入力画像データの画素密度が一致しない場合が多くなっている。例えばプリンタデータはパーソナルコンピュータ（ＰＣ）等からの指定された画素密度（ＰＣ等のアプリケーションソフトで作られた各種のイメージデータを印刷するときに指定した画素密度）に対して、画像形成装置、または画像形成装置用のＰＣ上のドライバソフトなどにおいて、画像形成装置で実現できる画素密度に変換している。ファックスデータは回線からのデータ（Ｇ３、Ｇ４やオリジナルのプロトコルを含む各規格等のデータ）を画像形成装置において実現できる画素密度に変換している。
これら画像形成装置において画像データの密度変換処理を実現するにはＳＰＣ法、論理和法、９分割法、投影法、線形補間法、距離反比例法等が用いられ演算処理が必要であり、ソフトウェアで実現する場合は、ハードウェアで実現する場合と比較して処理時間が多くかかり、また、ハードウェアで実現するためには構成が複雑で汎用性の低いシステムとなる。なお、ミドルウェアを用いて処理時間と汎用性を両立するシステムもあるがコスト的には高価なものとなる。
このため、画素密度変換をせずに画像形成装置の書き込み処理において実現する方法が有効である。これは走査光学系の走査速度や走査密度を変化させることにより異なる画像データの密度を実現するものであり、前述の整数倍の密度変換を組み合わせることにより広い範囲での密度変換を実現している。
しかしながら、書き込み処理において異なる画素密度を実現できないシステムがある。例えば、書き込み光学系の発光素子を複数個有し、被走査面上で隣接する発光素子間の画像ピッチを異なる所望の画素密度で実現できないシステムがある。
また現在一般的な画像データの画素密度は１００ｄｐｉ、２００ｄｐｉ、３００ｄｐｉ、４００ｄｐｉであり、少なくともこれら４つの画素密度を整数倍の密度変換で実現するためには１２００ｄｐｉを実現する必要があるが、１２００ｄｐｉを実現する書き込み光学系としては発光素子間の狭ピッチ化やレンズの焦点精度が要求されるため一般的に高価な素子を必要とされる。
そこで、本発明は発光素子間の狭ピッチ化やレンズの焦点精度が実現できないシステムにおいても、画素密度を整数倍以外の密度変換を実現することができる画像データ処理装置と画像形成装置を提供することを目的とする。
【課題を解決するための手段】
【０００４】
上記目的を達成するため、請求項１記載の発明は、第１の画素密度を有する画像データを、該第１の画素密度より高密度とされる第２の画素密度の画像データに変換して半導体ラインイメージ出力装置に出力する画像データ処理装置において、連続する第１の画素密度の画像データを、第１のタイミングにより蓄積するデータ蓄積手段と、前記第１のタイミングより速く、且つ、前記第１のタイミングの整数倍でない第２のタイミングにより前記データ蓄積手段から所要の画像データの選択を行うデータ選択手段と、を備えている画像データ処理装置であることを特徴とする。
請求項２記載の発明は、請求項１記載の画像データ処理装置において、請求項１記載の画像データ処理装置において、前記データ選択手段は、前記第２のタイミングをカウントして３値以上のカウント値を出力する第１のカウンタと、前記第１のカウンタから出力されるカウント値のうち、少なくとも２つのカウント値によりインクリメントされる第２のカウンタと、前記第２のカウンタのカウント値に対応する画像データを前記データ蓄積手段から読み出すデータ読出手段と、を備えていることを特徴とする。
請求項３記載の発明は、請求項２記載の画像データ処理装置において、前記データ選択手段は、前記画像データのデータ数をカウントする第３のカウンタをさらに備え、前記第３のカウンタのカウント値を利用して、前記データ読出手段が前記データ蓄積手段から読み出す画像データの選択を行うことを特徴とする。
請求項４記載の発明は、請求項１乃至請求項３の何れか一項に記載の画像データ処理装置を備えている画像形成装置であることを特徴とする。
【発明の効果】
【０００５】
本発明によれば、第１のタイミングによりデータ蓄積手段に連続する第１の画素密度の画像データを蓄積すると共に、データ選択手段により、第１のタイミングより速く、且つ、第１のタイミングの整数倍でない第２のタイミングによりデータ蓄積手段から所要の画像データの選択を行うようにしている。これにより、例えば画素密度が４００ｄｐｉの画像データを整数倍でない６００ｄｐｉ相当の画素密度の画像データに画像変換して出力することができるようになる。
【発明を実施するための最良の形態】
【０００６】
以下、本発明の実施の形態について説明する。
図１は、本発明の実施の形態としての画像形成装置を用いて構成される画像形成システムの概略構成を示した図である。
この図１に示すように、本実施の形態の画像形成装置１には、スキャナ２、ＦＡＸ装置３、パーソナルコンピュータ（以下、「ＰＣ」という）４などが接続されている。スキャナ２は画像形成装置１の上面に取り付けられ、原稿から読み取ったスキャナ画像データを画像形成装置１に出力する。またＦＡＸ装置３は電話回線などから受信したＦＡＸデータを画像形成装置１に出力し、ＰＣ４は作成したイメージデータを画像形成装置１に出力する。
図２は、本実施の形態に係る画像形成装置１の作像系の構成を示した図であり、潜像画像を形成する像担持体（感光体）１１の周囲に帯電装置１２、露光装置１３、現像装置１４、転写装置１５、クリーニング装置１６、除電装置１７が電子写真プロセス順に配置されており、図示しない制御部の制御によって周知の電子写真プロセスが実行される。
この場合、露光装置１３の書き込み部はラインプリントヘッド（以下、「ＬＰＨ」という）５０によって構成される。
図４はＬＰＨの概略構成を示した図であり、この図４（ａ）に示すＬＰＨ５０は、半導体ラインイメージ出力装置であり、基板５１の裏面にＬＥＤ発光素子からなるＬＥＤアレー素子５２と、図４（ｂ）に示すようなセルホックレンズ（等倍レンズ）５３が設けられており、被走査面である感光体１１面上に複数のビームを所定の間隔で照射して露光を行うようにしている。
また基板５１には放熱板５４やドライバー素子５５、インターフェース（Ｉ／Ｆ）コネクタ５６などが設けられている。
また、本実施の形態の画像形成装置１は、上記した作像系の構成以外にも、図示していないが画像を形成する転写紙を給紙するための給紙部と転写された画像を定着する定着部と定着された転写紙を排紙する排紙部などを備えている。
【０００７】
図３は、本実施の形態の画像形成装置１の内部構成を示したブロック図である。
この図３において、１次メモリ２１は、スキャナ２で原稿から読み取った画像データや、画像Ｉ／Ｆ２２ａを介してデジタルカメラ等で読み取った画像データやＰＣ上で作成した画像データが入力される。またＦＡＸＩ／Ｆ２２Ｂを介してＦＡＸ装置３が電話回線等で受信したＦＡＸデータ（画像データ）が入力される。
１次メモリ２１は、転送されてくる画像データを展開し、必要によってはハードディスクドライブ装置（ＨＤＤ）により構成される２次メモリ２３に蓄積しながら、入力画像データを画像処理部２４に伝送する。なお、画像形成装置１では、画像伝送時に複数のジョブ、例えば複写、ファックス、スキャン、プリント等の動作を平行して行うことができるように高速なデータバスによりバスを占有しないように構成されており、転写紙に応じた画像データの編集、例えば回転、変倍、反転等も行うようにしている。
画像処理部２４は、１次メモリ２１から伝送されてくる画像データを画像形成プロセスで転写紙に作像するための各種画像処理を行う。例えば、必要に応じて倍率調整を行ったり、転写紙に画像マスクを施したりする。
書込処理部２５は画像蓄積手段である画像メモリ２６、データ選択部２７、スムージング／細線化処理部２８から構成され、相応のデータ伝送バスを用いて画像処理部２４からの画像データを画像蓄積手段である画像メモリ２６に蓄積する。画像メモリ２６に蓄積された画像データは、データ選択部２７により選択された画像データをスムージング／細線化処理部２８に出力され、スムージング／細線化処理部２８において例えば図５（ａ）（ｂ）に示すようなスムージング処理、及び図５（ｃ）（ｄ）に示すような細線化処理を施してＬＰＨ５０に出力される。ＬＰＨ５０では所定の基準信号に基づいて画像データに応じたＬＥＤ発光を実施して感光体１１上に画像を形成する。
【０００８】
以下、このように構成される画像形成装置１の特徴的な動作について説明する。
なお、本実施の形態では露光装置１３が６００ｄｐｉの書込密度を有するものとし、画像形成装置１の画像Ｉ／Ｆ２２ａにＰＣ４からネットワークケーブルを介して４００ｄｐｉの画素密度のＴＩＦデータが伝送されてきた場合を例に挙げて説明する。
本実施の形態としての画像形成装置１においては、書込処理部２５において画像Ｉ／Ｆ２２ａを介して入力される４００ｄｐｉの画像データを６００ｄｐｉの画像データに画像変換して出力するようにしている。この場合、データ選択部２７は、画像メモリ２６に蓄積されている画像データのうち、１つおきの画像データ（例えば奇数番目の画像データ）については繰り返し２回選択し、その間の画像データ（偶数番目の画像データ）については繰り返すことなく出力するようにしている。即ち、入力画像データのデータ列がＤ１，Ｄ２，Ｄ３・・・Ｄｎであるとすると、書込処理部２５からＬＰＨ５０に出力する出力データのデータ列はＤ１，Ｄ１，Ｄ２，Ｄ３，Ｄ３・・・Ｄｎとなるように選択している。
このような画像データの出力は、書込処理部２５の画像メモリ２６に入力画像データを所定の入力タイミング（第１のタイミング）でラッチすると共に、上記入力タイミングより速く、且つ、入力タイミングの整数倍でない出力タイミング（第２のタイミング）により画像メモリ２６から画像データを選択して読み出すことで実現することができる。例えば２ＭＨｚのクロックの立ち上がりで入力画像データをラッチして、このラッチした画像データを３ＭＨｚのクロックの立ち上がりで読み出すようにすれば実現できる。
【０００９】
図６は、上記したような画像メモリ２６に対する画像データの書き込むタイミングと読み出しタイミングとの関係を示した図である。
この場合、時点ｔ１において画像メモリ２６に画像データＤ１の蓄積が開始され、時点ｔ２において画像メモリ２６から画像データＤ１が読み出される。そして、読み出し終了後の時点ｔ３において再び画像メモリ２６から画像データＤ１が読み出される。なお、画像メモリ２６では画像データＤ２の蓄積が、画像データＤ１の読み出しを追い抜かなければ画像データＤ１を読み出すことが可能とされる。そして、時点ｔ４において新たな画像データＤ２の蓄積が開始され、画像データＤ１に画像データＤ２が上書きされ、時点ｔ５において画像メモリ２６から画像データＤ２が読み出される。そして、読み出しが終了後の時点ｔ６において新たな画像データＤ３の蓄積が開始され、画像データＤ２に画像データＤ３を上書きされ、時点ｔ７において再び画像メモリ２６から画像データＤ３の読み出されることになる。従って、このような動作を繰り返し行うようにすれば、本実施の形態にかかる画像形成装置１の書込処理部２５では、入力される４００ｄｐｉの画像データを１．５倍の６００ｄｐｉ相当の画像データに画像変換して出力することができるようになる。
また、入力画像データの画素密度を、入力画像データの画素密度より高い画素密度に変換して出力する場合は、書込処理部２５において入力画像データの画素密度を露光装置１３の画素密度に対応するように画像変換を行うようにしている。つまり、１次メモリ２１において展開された入力画像データの画素密度を、書込処理部２５の画像メモリ２６まで同じ画素密度で伝送するようにしているので、入力画像データを高密度に変換する場合でも伝送路における画像データのデータ量の増加がないため効率良く画像データを伝送することができる。
なお、入力画像データとしては、１次メモリ２１において展開した画像データに限らず、２次メモリ２３に蓄積された画像データや、ＦＡＸ装置３の図示しないファックスコントロールユニットで展開された画像データ、或いはスキャナ２でスキャンして読み取った画像データでも良いことは言うまでもない、また、本実施の形態では画像データの画素密度は、１００ｄｐｉ、２００ｄｐｉ、３００ｄｐｉまたは４００ｄｐｉでも良い。
【００１０】
次に、図７は第２の実施の形態に係る画像形成装置のデータ選択部の構成を示した図である。なお、画像メモリ２６への画像データの書き込み周期を２ＭＨｚとし、蓄積された画像データＤ１，Ｄ２，・・・Ｄｎにはアドレス値「１」「２」・・・「ｎ」が与えられるものとする。
この図７に示すデータ選択部２７は、参照カウンタ（第１のカウンタ）４１、オア回路４２、アドレスカウンタ（第２のカウンタ）４３、データ読出部４４により構成される。参照カウンタ４１は、所定のクロック信号（例えば３ＭＨｚ）の立ち上がり、または立ち下がりでカウントを行い、その出力として「０，１，２」を出力する。アドレスカウンタ４３は参照カウンタ４１のカウント値が「０，２」のときにアドレスカウンタ４３のアドレス値をインクリメントする。データ読出部４４では所定のクロック周期（例えば３ＭＨｚ）でアドレスカウンタ４３のアドレス値に対応する画像データを読み出す。
例えば、図８（ａ）に示すように画像メモリ２６に画像データが蓄積されているときに、参照カウンタ４１の出力が「０」の場合、アドレスカウンタ４３は、アドレス値をインクリメントしてアドレス値が初期値「０」から「１」にする。データ読出部４４は図８（ｂ）に示すように画像メモリ２６からアドレス値「１」に対応する画像データＤ１を読み出す。
次に、参照カウンタ４１の出力が「１」になると、アドレスカウンタ４３はインクリメントされることなくアドレス値は「１」を保持するので、データ読出部４４は図８（ｃ）に示すように画像メモリ２６からアドレス値「１」に対応する画像データＤ１を読み出すようにしている。次に参照カウンタ４１の出力が「２」になると、アドレスカウンタ４３のアドレス値は「１」から「２」にインクリメントされるのでデータ読出部４４は図８（ｄ）に示すように画像メモリ２６からアドレス値「２」に対応する画像データＤ２を読み出すようにしている。
そして、再び参照カウンタ４１の出力が「０」になると、アドレスカウンタ４３のアドレス値は「２」から「３」にインクリメントされるのでデータ読出部４４は図８（ｅ）に示すように画像メモリ２６からアドレス値「３」に対応する画像データＤ３を読み出す。
従って、このような動作を繰り返し行うことで、書込処理部２５からＬＰＨ５０に出力する出力データのデータ列はＤ１，Ｄ１，Ｄ２，Ｄ３，Ｄ３・・・Ｄｎとなり、書込処理部２５において、入力される４００ｄｐｉの画像データを１．５倍の６００ｄｐｉ相当の画像データに画像変換して出力することができる。
【００１１】
図９は第３の実施の形態に係る画像形成装置のデータ選択部の構成を示した図である。
なお、図７と同一部位には同一番号を付して説明は省略する。
この図９（ａ）に示すデータ選択部は、上記図７に示したデータ選択部の構成にビットカウンタ（第３のカウンタ）４５が設けられており、このビットカウンタ４５のカウント値をアドレスカウンタ４３に入力するようにしている。このように構成すると、例えば参照カウンタ４１によりインクリメントされるアドレスカウンタ４３のアドレス値が「ｎ」の場合、データ読出部４４は、図９（ｂ）に示すように画像メモリ２６から画像データＤｎを読み出すことになるが、このような場合に、例えばビットカウンタ４５のカウント値がＯＤＤ（奇数）のときは画像データＤｎを２回読み出し、カウント値がＥＶＥＮ（偶数）のときは画像データＤｎを１回読み出すようにアドレスカウンタ４３のインクリメント条件を任意に設定することが可能になる。
なお、これまで説明した本実施の形態においては、書込処理部２５において、入力される４００ｄｐｉの画像データを１．５倍の６００ｄｐｉ相当の画像データに画像変換して出力する場合を例に挙げて説明したが、これはあくまでも一例であり、第１の画素密度の画像データを、第１の画素密度より高密度で、第１の画素密度の整数倍でない第２の画素密度に変換する場合に適用可能である。
【図面の簡単な説明】
【００１２】
【図１】本発明の実施の形態に係る画像形成装置を用いて構成される画像形成システムの概略構成を示した図である。
【図２】本実施の形態に係る画像形成装置の作像系の構成を示した図である。
【図３】本実施の形態の画像形成装置の内部構成を示したブロック図である。
【図４】（ａ）はＬＰＨの概略構成を示した図、（ｂ）はセルホックレンズの概略構成を示した図である。
【図５】書込処理部におけるスムージング／細線化処理の説明図である。
【図６】画像メモリに対する画像データの書き込むタイミングと読み出しタイミングを示した図である。
【図７】第２の実施の形態に係る画像形成装置のデータ選択部の構成図である。
【図８】データ選択部による蓄積データの読み出し例を示した図である。
【図９】（ａ）は第３の実施の形態に係る画像形成装置のデータ選択部の構成図、（ｂ）はデータ選択部による蓄積データの読み出し例を示した図である。
【図１０】画素密度の密度変換処理を行ったときの画素並びを示した図である。
【図１１】従来の密度変換処理方法の一例を説明するためのタイミング図である。
【図１２】データの入出力とメモリの蓄積データ量の関係を示した図である。
【符号の説明】
【００１３】
１  画像形成装置、２  スキャナ、３  ＦＡＸ装置、４  パーソナルコンピュータ（ＰＣ）、１１  感光体、１２  帯電装置、１３  露光装置、１４  現像装置、１５  転写装置、１６  クリーニング装置、１７  除電装置、２１  １次メモリ、２２ａ  画像Ｉ／Ｆ、２２ｂ  ＦＡＸＩ／Ｆ、２３  ２次メモリ、２４  画像処理部、２５  書込処理部、２６  画像メモリ、２７  データ選択部、２８  スムージング／細線化処理部、４１  参照カウンタ、４２  オア回路、４３  アドレスカウンタ、４４  データ読出部、４５  ビットカウンタ、５０  ＬＰＨ、５１  基板、５２  ＬＥＤアレー素子、５３  セルホックレンズ（等倍レンズ）、５４  放熱板、５５  ドライバー素子、５６  Ｉ／Ｆコネクタ
【図１】
2006060621.tif 000003
【図２】
2006060621.tif 000004
【図３】
2006060621.tif 000005
【図４】
2006060621.tif 000006
【図５】
2006060621.tif 000007
【図６】
2006060621.tif 000008
【図７】
2006060621.tif 000009
【図８】
2006060621.tif 000010
【図９】
2006060621.tif 000011
【図１０】
2006060621.tif 000012
【図１１】
2006060621.tif 000013
【図１２】
2006060621.tif 000014